(57)【要約】【課題】低コストかつ簡単な構成でありながら、内容物の選択的な取り出しが容易な収納容器を提供する。【解決手段】収納容器Ｅ１は、複数の内容物を収納する樹脂シートＳ１からなり、内容物が収納される収納室Ｒ１〜Ｒ３が凹形状に形成された容器本体１と、容器本体１との境界のミシン目４ａでの樹脂シートＳ１の折り曲げにより収納室Ｒ１〜Ｒ３を覆うように形成された容器蓋２と、を樹脂シートＳ１に有している。樹脂シートＳ１の折り曲げ状態において、容器蓋２は、収納室Ｒ２，Ｒ３を覆うカバー部３と、収納室Ｒ１を覆うとともにカバー部３との境界のミシン目４ｂで分離可能に形成された開封部４と、からなっている。容器本体１は、収納室Ｒ１〜Ｒ３の周囲に環状に形成されたレール１ａを有する。カバー部３は、レール１ａに嵌合するボス３ａを有する。カバー部３が開封部４から分離されると、レール１ａとボス３ａとの嵌合状態を保ちながら収納室Ｒ１〜Ｒ３の開閉状態を変化させる回転スライドが可能になる。【選択図】図１
2019069805.tif 000002
【特許請求の範囲】
【請求項１】
複数の内容物を収納する樹脂シートを備えた収納容器であって、
前記樹脂シートに、前記内容物が収納される収納室が凹形状に形成された容器本体と、前記容器本体との境界での前記樹脂シートの折り曲げにより前記収納室を覆うように形成された容器蓋と、を有し、
前記樹脂シートの折り曲げ状態において、
前記容器蓋が、前記収納室の一部を覆うカバー部と、前記収納室の一部以外の部分を覆うとともに前記カバー部との境界で分離可能に形成された開封部と、からなり、
前記容器本体及び前記カバー部のうち、一方が前記収納室の周囲に環状に形成された溝部を有するとともに、他方が前記溝部に嵌合する突起部を有し、
前記カバー部が前記開封部から分離されると、前記溝部と前記突起部との嵌合状態を保ちながら前記収納室の開閉状態を変化させる回転スライドが可能になることを特徴とする収納容器。
【請求項２】
前記容器本体と前記容器蓋との境界が前記容器本体と前記開封部との境界であって、その境界が前記樹脂シートの折り曲げのためのミシン目からなり、前記カバー部と前記開封部との境界が前記分離のためのミシン目からなることを特徴とする請求項１記載の収納容器。
【請求項３】
前記溝部が前記容器本体に設けられており、前記突起部が前記カバー部に設けられていることを特徴とする請求項１又は２記載の収納容器。
【請求項４】
前記容器本体に前記収納室が複数形成されており、その収納室間には隔壁が形成されており、前記カバー部から分離される前の開封部の下方に前記隔壁が位置しないことを特徴とする請求項１〜３のいずれか１項に記載の収納容器。
【請求項５】
前記容器本体に前記収納室が複数形成されており、その収納室間には隔壁が形成されており、前記カバー部から分離される前の開封部の下方に前記隔壁が位置することを特徴とする請求項１〜３のいずれか１項に記載の収納容器。
【請求項６】
前記突起部と嵌合する穴が形成された台紙を更に備え、前記樹脂シートの折り曲げ状態において、前記台紙が前記突起部と前記穴との嵌合状態で前記カバー部の内側に取り付けられていることを特徴とする請求項３記載の収納容器。
【請求項７】
前記樹脂シートの折り曲げ状態において、前記カバー部から分離された前記開封部の端部が差し込み可能な切り込みを、前記台紙に有することを特徴とする請求項６記載の収納容器。
【請求項８】
前記開封部の端部に、前記台紙側に突出した押圧用の凸部と、その反対側に突出した滑り止め用の凸部と、が形成されていることを特徴とする請求項７記載の収納容器。
【請求項９】
前記容器本体に前記収納室が複数形成されており、その収納室間には隔壁が形成されており、前記切り込みの下方において前記隔壁に凹部が形成されていることを特徴とする請求項７又は８記載の収納容器。
【請求項１０】
前記台紙に内容物確認用の貫通孔が形成されており、前記カバー部で覆われた収納室の上方に前記貫通孔が位置することを特徴とする請求項６〜９のいずれか１項に記載の収納容器。
【請求項１１】
前記台紙に内容物取り出し用の開口が形成されており、前記カバー部で覆われていない収納室の上方に前記開口が位置することを特徴とする請求項６〜１０のいずれか１項に記載の収納容器。
【発明の詳細な説明】
【技術分野】
【０００１】
本発明は収納容器に関するものであり、例えば、複数の内容物（小物，食品等）の収納と取り出しが可能な収納容器（ブリスターパック，シェルパック等）に関するものである。
【背景技術】
【０００２】
収納されている複数の内容物から所望のものを簡単に取り出せるようにした収納容器として、従来より様々なタイプのものが提案されている。例えば、特許文献１に記載の収納容器は、密封された収納室を複数有しており、隣接する収納室同士を押圧するとゲル状又は半固形状の内容物が収納室から搾り出されるように形成されている。また、特許文献２，３に記載の収納容器は、内容物として複数の粒状物や小物を収納し、そこから所望のものが取り出せるように構成されている。
【先行技術文献】
【特許文献】
【０００３】
【特許文献１】特開２０１２−２０６７３５号公報
【特許文献２】特開平９−４００３８号公報
【特許文献３】特開２０１２−１７１６８３号公報
【発明の概要】
【発明が解決しようとする課題】
【０００４】
特許文献１に記載の収納容器は、内容物がゲル状又は半固形状であるため、各収納室を独立した密封状態にしておく必要がある。したがって、その構造は複雑であり、いったん開封すると再封（リクローズ）も不可能である。内容物が固形状であれば、そのような複雑な構造をとらなくてもリクローズ可能な構成にすることはできる。しかし、特許文献２，３に記載の収納容器の場合、リクローズは可能であっても、内容物を選択的に取り出すために複数の部品を組み合わせた複雑な構成にする必要があり、低コストでの実現も不可能である。
【０００５】
本発明はこのような状況に鑑みてなされたものであって、その目的は、低コストかつ簡単な構成でありながら、内容物の選択的な取り出しが容易な収納容器を提供することにある。
【課題を解決するための手段】
【０００６】
上記目的を達成するために、第１の発明の収納容器は、複数の内容物を収納する樹脂シートを備えた収納容器であって、
前記樹脂シートに、前記内容物が収納される収納室が凹形状に形成された容器本体と、前記容器本体との境界での前記樹脂シートの折り曲げにより前記収納室を覆うように形成された容器蓋と、を有し、
前記樹脂シートの折り曲げ状態において、
前記容器蓋が、前記収納室の一部を覆うカバー部と、前記収納室の一部以外の部分を覆うとともに前記カバー部との境界で分離可能に形成された開封部と、からなり、
前記容器本体及び前記カバー部のうち、一方が前記収納室の周囲に環状に形成された溝部を有するとともに、他方が前記溝部に嵌合する突起部を有し、
前記カバー部が前記開封部から分離されると、前記溝部と前記突起部との嵌合状態を保ちながら前記収納室の開閉状態を変化させる回転スライドが可能になることを特徴とする。
【０００７】
第２の発明の収納容器は、上記第１の発明において、前記容器本体と前記容器蓋との境界が前記容器本体と前記開封部との境界であって、その境界が前記樹脂シートの折り曲げのためのミシン目からなり、前記カバー部と前記開封部との境界が前記分離のためのミシン目からなることを特徴とする。
【０００８】
第３の発明の収納容器は、上記第１又は第２の発明において、前記溝部が前記容器本体に設けられており、前記突起部が前記カバー部に設けられていることを特徴とする。
【０００９】
第４の発明の収納容器は、上記第１〜第３のいずれか１つの発明において、前記容器本体に前記収納室が複数形成されており、その収納室間には隔壁が形成されており、前記カバー部から分離される前の開封部の下方に前記隔壁が位置しないことを特徴とする。
【００１０】
第５の発明の収納容器は、上記第１〜第３のいずれか１つの発明において、前記容器本体に前記収納室が複数形成されており、その収納室間には隔壁が形成されており、前記カバー部から分離される前の開封部の下方に前記隔壁が位置することを特徴とする。
【００１１】
第６の発明の収納容器は、上記第３の発明において、前記突起部と嵌合する穴が形成された台紙を更に備え、前記樹脂シートの折り曲げ状態において、前記台紙が前記突起部と前記穴との嵌合状態で前記カバー部の内側に取り付けられていることを特徴とする。
【００１２】
第７の発明の収納容器は、上記第６の発明において、前記樹脂シートの折り曲げ状態において、前記カバー部から分離された前記開封部の端部が差し込み可能な切り込みを、前記台紙に有することを特徴とする。
【００１３】
第８の発明の収納容器は、上記第７の発明において、前記開封部の端部に、前記台紙側に突出した押圧用の凸部と、その反対側に突出した滑り止め用の凸部と、が形成されていることを特徴とする。
【００１４】
第９の発明の収納容器は、上記第７又は第８の発明において、前記容器本体に前記収納室が複数形成されており、その収納室間には隔壁が形成されており、前記切り込みの下方において前記隔壁に凹部が形成されていることを特徴とする。
【００１５】
第１０の発明の収納容器は、上記第６〜第９のいずれか１つの発明において、前記台紙に内容物確認用の貫通孔が形成されており、前記カバー部で覆われた収納室の上方に前記貫通孔が位置することを特徴とする。
【００１６】
第１１の発明の収納容器は、上記第６〜第１０のいずれか１つの発明において、前記台紙に内容物取り出し用の開口が形成されており、前記カバー部で覆われていない収納室の上方に前記開口が位置することを特徴とする。
【発明の効果】
【００１７】
本発明によれば、収納容器を構成する樹脂シートが容器本体と容器蓋を有する簡単な構成になっているため、低コストでの製造が可能である。また、カバー部が開封部から分離されると、溝部と突起部との嵌合状態を保ちながら収納室の開閉状態を変化させる回転スライドが可能になるため、内容物の選択的な取り出しを容易に行うことができる。したがって、低コストかつ簡単な構成でありながら、内容物の選択的な取り出しが容易な収納容器を実現することが可能である。
【図面の簡単な説明】
【００１８】
【図１】収納容器の一実施の形態を示す展開図。
【図２】図１の収納容器の封止状態を示す平面図。
【図３】図１の収納容器の開封状態を示す平面図。
【図４】図１の収納容器の１２０°スライド状態を示す平面図。
【図５】図１の収納容器の緩い係止によるリクローズ状態を示す平面図。
【図６】カバー部に補強用のリブが複数形成された収納容器の実施の形態を示す展開図。
【図７】分離前の開封部の下方に隔壁が位置する収納容器の実施の形態を封止状態で示す平面図。
【図８】収納容器用の台紙を示す平面図。
【図９】図８の台紙を備えた収納容器の実施の形態を示す展開図。
【図１０】図９の収納容器の封止状態を示す平面図。
【図１１】図９の収納容器の開封状態を示す平面図。
【図１２】図９の収納容器の１２０°スライド状態を示す平面図。
【図１３】図９の収納容器のリクローズ状態を示す平面図。
【図１４】収納室の隔壁に凹部が形成された収納容器の実施の形態を示す展開図。
【図１５】台紙に貫通孔が形成された収納容器の実施の形態をリクローズ状態で示す平面図。
【図１６】台紙に小さい開口が形成された収納容器の実施の形態を開封状態で示す平面図。
【発明を実施するための形態】
【００１９】
以下、本発明の実施の形態に係る収納容器等を、図面を参照しつつ説明する。なお、各実施の形態等の相互で同一の部分や相当する部分には同一の符号を付して重複説明を適宜省略する。
【００２０】
図１に、本発明の一実施の形態に係る収納容器Ｅ１を展開状態で示す。この収納容器Ｅ１は、複数の内容物（不図示）を収納する樹脂シートＳ１製の収納容器であり、例えば樹脂真空成型により形成される。ここで想定している樹脂シートＳ１は透明なプラスチック製シートであり、具体例としては、０．３〜０．４ｍｍ厚のポリエチレンテレフタレート（ＰＥＴ）製の透明シートが挙げられる。この１枚の樹脂シートＳ１をミシン目４ａで折り曲げることにより、例えば丸型のスライド式ブリスターパックとして使用可能な収納容器Ｅ１を得ることができる。図２に、ミシン目４ａで樹脂シートＳ１が折り曲げられた状態（収納容器Ｅ１の封止状態）を示す。
【００２１】
樹脂シートＳ１は、容器本体１と容器蓋２とからなっている。容器本体１には、内容物が収納される空間として、隔壁１ｂで３つに仕切られた収納室Ｒ１〜Ｒ３が扇形状に形成されている。各収納室Ｒ１〜Ｒ３の開口の中心角は１２０°であり、仕切られた収納室Ｒ１〜Ｒ３により、３種類の内容物を混ぜることなく収納したり取り出したりすることが可能になる。容器蓋２は、ミシン目４ａでの樹脂シートＳ１の折り曲げにより、収納室Ｒ１〜Ｒ３を覆うように形成されている。各収納室Ｒ１〜Ｒ３は、収納容器Ｅ１の封止状態（図２）において容器蓋２側に凹形状を有している。
【００２２】
容器蓋２は、樹脂シートＳ１の折り曲げ状態（図２）において、収納室Ｒ２，Ｒ３を覆うカバー部３と、収納室Ｒ１を覆うとともにカバー部３との境界で分離可能に形成された開封部４と、からなっている。そのカバー部３と開封部４との境界は、分離のためのミシン目４ｂからなっている。また、容器本体１と容器蓋２との境界は容器本体１と開封部４との境界であって、その境界は樹脂シートＳ１の折り曲げのための前記ミシン目４ａからなっている。
【００２３】
容器本体１は、収納室Ｒ１〜Ｒ３の周囲に環状に形成された凹形状（図２の封止状態において容器蓋２側に凹形状）のレール１ａを有しており、カバー部３は、レール１ａに嵌合する４つのボス３ａを有している。図２に示すように、ミシン目４ａで樹脂シートＳ１を折り曲げると、レール１ａにボス３ａが嵌合して収納容器Ｅ１は封止状態となる。このレール１ａとボス３ａの配置を反対にして、カバー部３にレール１ａを設け、容器本体１にボス３ａを設けてもよい。つまり、樹脂シートＳ１の折り曲げ状態（図２）において、容器本体１及びカバー部３のうち、一方が収納室Ｒ１〜Ｒ３の周囲に環状に形成された溝部（レール）を有するとともに、他方が前記溝部に嵌合する突起部（ボス）を有するように構成すればよい。
【００２４】
カバー部３には、その撓みを低減するために、周縁に５本の線状の補強用リブ３ｂが形成されており、その内側に平面状の補強用リブ３ｃが形成されている。開封部４にも、その撓みを低減するために、容器本体１側に平面状の補強用リブ４ｆが形成されており、カバー部３側に線状の補強用リブ４ｇが形成されている。樹脂シートＳ１の折り曲げ状態（図２）において、リブ３ｂは容器本体１側に凸形状を有しており、リブ３ｃは容器本体１側に凹形状を有しており、リブ４ｆ，４ｇは容器本体１側に凹形状を有している。これら補強用のリブ３ｂ，３ｃ，４ｆ，４ｇを容器蓋２に設けることにより、樹脂シートＳ１の厚みを低減することが可能になる。
【００２５】
さらに開封部４には、その端部としてカバー部３側に開封タブ４ｃが形成されている。その開封タブ４ｃには、樹脂シートＳ１の折り曲げ状態（図２）において、容器本体１側（内側）に突出した押圧用の凸部４ｄと、その反対側（外側）に突出した滑り止め用の凸部４ｅと、が形成されている。凸部４ｄ，４ｅにより、カバー部３からの開封部４の分離を容易に行うことが可能になる。なお、カバー部３と開封部４との境界はミシン目４ｂからなっているが、カバー部３からの開封部４の分離を更に容易にするため、開封タブ４ｃの周りの境界部分のみを予め切り離しておいてもよい。
【００２６】
開封タブ４ｃをつまんで引っ張り、ミシン目４ｂに沿って開封部４をカバー部３から引き離すと、開封部４は容器本体１に対しミシン目４ａでフラップ状に連結した状態になる。図３に、ミシン目４ｂで開封部４をカバー部３から分離した状態（収納容器Ｅ１の開封状態）を示す。この分離は初期開封時にのみ行われ、開封部４がカバー部３から分離されると、収納室Ｒ１が開口し、レール１ａとボス３ａとの嵌合状態を保ちながら収納室Ｒ１〜Ｒ３の開閉状態を変化させる回転スライドが可能になる。
【００２７】
図４に、カバー部３が１２０°回転スライドした状態（収納容器Ｅ１の１２０°スライド状態）を示す。図４に示すカバー部３の回転スライドにより、収納室Ｒ２が開口し、収納室Ｒ２から内容物を取り出すことが可能になる。カバー部３の回転スライドは、矢印ｍＲで示すように、左右いずれの回転方向にも可能である。したがって、カバー部３の回転スライドにより、取り出したい内容物が入っている収納室Ｒ１〜Ｒ３のみを開口することが可能であり、どの収納室Ｒ１〜Ｒ３に関しても内容物の収納や取り出しが可能である。なお、回転スライドをスムーズにするため、カバー部３や容器本体１に滑り止め用の凹凸部，取っ手等を設けてもよい。
【００２８】
各収納室Ｒ１〜Ｒ３の開口の中心角は１２０°であるが、図１に示すように、レール１ａの内周には中心角３０°間隔で凹凸が形成されている。その凹凸と同一形状の凹凸がボス３ａの外周にも形成されているため、図３，図４に示すように、レール１ａとボス３ａとの嵌合によって、３０°の回転毎にクリック感を得ることができる。したがって、収納室Ｒ１〜Ｒ３を見なくても、開封タブ４ｃを切り離してからのクリック数から、開口している収納室Ｒ１〜Ｒ３を知ることができる。
【００２９】
収納容器Ｅ１では、容器本体１に３つの収納室Ｒ１〜Ｒ３が扇形状に形成されているが、その数，形状等は内容物の種類，数，形状，取り出し易さ等に応じて設定すればよい。例えば、数は１つでもよく複数でもよいし、形状は丸形状でもよく三角形状でもよい。また、収納容器Ｅ１では、収納室Ｒ１〜Ｒ３間に隔壁１ｂが形成されているが、カバー部３から分離される前の開封部４の下方には、図２に示すように隔壁１ｂが位置していない。このため、図３に示すように開封部４をカバー部３から分離すると同時に、収納室Ｒ１内のどこにある内容物も取り出し可能となる。また、収納室Ｒ１の開口よりも小さく開封部４を形成した場合（例えば、各収納室Ｒ１〜Ｒ３の開口の中心角が１２０°で、開封部４の中心角が６０°の場合）、開封部４をカバー部３から分離したときの弾みで内容物が飛び出すのを抑えることができる。
【００３０】
図５に、収納容器Ｅ１のリクローズ状態を示す。カバー部３を開封状態（図３）の位置まで回転スライドさせた後、開封部４を元の位置に戻して、カバー部３と開封部４とがミシン目４ｂの位置で接するようにすると、開封部４がカバー部３に緩く係止されて、図５に示すリクローズ状態となる。例えば、収納室Ｒ１〜Ｒ３の順に内容物（例えば、お菓子，カレールー等）を消費していく場合、収納室Ｒ１内が空になっていれば、このような緩い係止でも問題のないリクローズが可能である。
【００３１】
この実施の形態によれば（図１〜図５）、収納容器Ｅ１を構成する樹脂シートＳ１が容器本体１と容器蓋２を有する簡単な構成になっているため、低コストでの製造が可能である。また、カバー部３が開封部４から分離されると、レール１ａとボス３ａとの嵌合状態を保ちながら収納室Ｒ１〜Ｒ３の開閉状態を変化させる回転スライドが可能になるため、内容物の選択的な取り出しを容易に行うことができる。したがって、低コストかつ簡単な構成でありながら、内容物の選択的な取り出しが容易な収納容器Ｅ１を実現することが可能である。
【００３２】
図６に、本発明の一実施の形態に係る収納容器Ｅ２を展開状態で示す。この収納容器Ｅ２は、複数の内容物（不図示）を収納する樹脂シートＳ２製の収納容器である。この樹脂シートＳ２は、カバー部３のリブ３ｃ内において、更に補強用のリブ３ｄが複数形成されている点に特徴があり、それ以外は前記樹脂シートＳ１と同様に構成されている。樹脂シートＳ２のミシン目４ａでの折り曲げ状態において、リブ３ｄは容器本体１側に凸形状を有している。また、複数のリブ３ｄのうち、２つのリブ３ｅには滑り止め加工（ローレット加工等）が施されている。したがって、補強用のリブ３ｄにより、カバー部３の撓みを低減することができ、滑り止め用のリブ３ｅにより、手指による回転スライドをスムーズに行うことができる。
【００３３】
図７に、本発明の一実施の形態に係る収納容器Ｅ３を封止状態で示す。この収納容器Ｅ３は、複数の内容物（不図示）を収納する樹脂シートＳ３製の収納容器である。この樹脂シートＳ３は、樹脂シートＳ３のミシン目４ａでの折り曲げ状態において、カバー部３から分離される前の開封部４の下方に隔壁１ｂが位置する点に特徴があり、それ以外は前記樹脂シートＳ１と同様に構成されている。
【００３４】
収納容器Ｅ３では、樹脂シートＳ３の折り曲げ状態（図７）において、容器蓋２が、収納室Ｒ１の一部，収納室Ｒ２の全部及び収納室Ｒ３の一部を覆うカバー部３と、収納室Ｒ１の一部及び収納室Ｒ３の一部を覆う開封部４と、からなっている。つまり、前記収納容器Ｅ１と同様、カバー部３が収納室Ｒ１〜Ｒ３の一部を覆い、その一部以外の部分を開封部４が覆う構成になっている。しかし、収納容器Ｅ３では分離前の開封部４の下方に隔壁１ｂが位置しているため、開封部４をカバー部３から分離したときの弾みで内容物が飛び出すのを抑えることができる。例えば、内容物が棒状であれば、開封時の内容物の飛び出しを隔壁１ｂ及びカバー部３で効果的に抑えることができる。
【００３５】
図９に、本発明の一実施の形態に係る収納容器Ｅ４を展開状態で示し、図８に、収納容器Ｅ４に用いる台紙Ｄ１を示す。この収納容器Ｅ４は、樹脂シートＳ１と台紙Ｄ１からなっており、樹脂シートＳ１として前述の収納容器Ｅ１と同じものが用いられている。樹脂シートＳ１は複数の内容物Ｆ１〜Ｆ３を収納する構成になっており、１枚の樹脂シートＳ１をミシン目４ａで折り曲げることにより、例えば丸型のスライド式ブリスターパックとして使用可能な収納容器Ｅ４を得ることができる。図１０に、ミシン目４ａで樹脂シートＳ１が折り曲げられた状態（収納容器Ｅ４の封止状態）を示す。なお、樹脂シートＳ１の代わりに前記樹脂シートＳ２，Ｓ３（図６，図７）を用いてもよく、それにより収納容器Ｅ２，Ｅ３と同様の効果を得ることができる。
【００３６】
図８に示す台紙Ｄ１は、ウサギのキャラクターが紙に印刷されたものであり、印刷により必要な表示（例えば、内容物Ｆ１〜Ｆ３に関する絵，文字等の図柄；収納容器Ｅ４の開封方法に関する情報等の表示）が可能になっている。台紙Ｄ１は不透明な紙からなっているが、透明な樹脂シートや透明な樹脂フィルム等からなるものでもよい。また、ウサギ以外のキャラクターを印刷してもよい。
【００３７】
図８に示す台紙Ｄ１において、ウサギの顔の周縁にはカバー部３のボス３ａ（図９）と嵌合する穴５ａが４つ形成されている。図９に示すように、穴５ａにボス３ａを嵌合すると、台紙Ｄ１がカバー部３に固定される。その嵌合状態において、台紙Ｄ１は容器蓋２と略同じ大きさになっているが、ウサギの耳の部分は容器蓋２からはみ出している。これはウサギの耳の部分を取っ手５ｄとするためである。この取っ手５ｄを持って台紙Ｄ１を回転させれば、台紙Ｄ１が固定されているカバー部３の回転スライドをスムーズに行うことができる。また、ウサギの耳の間には吊り下げ穴５ｅが形成されており、店舗での収納容器Ｅ４の陳列等を容易に行うことができるようになっている。
【００３８】
ウサギの鼻は、開封タブ４ｃ（開封部４の端部）を差し込むための切り込み５ｂからなっている。つまり、台紙Ｄ１には、樹脂シートＳ１の折り曲げ状態において、カバー部３から分離された開封部４の開封タブ４ｃが差し込み可能な切り込み５ｂが形成されている。その切り込み５ｂに開封タブ４ｃを差し込むことにより、台紙Ｄ１を介してカバー部３に開封部４をロックすることができる。
【００３９】
ウサギの口は、内容物Ｆ１〜Ｆ３取り出し用の開口５ｃからなっている。内容物Ｆ１〜Ｆ３とは、例えば、お菓子等の食品；歯間ブラシ等の衛生用品；クリップ等の文房具；くぎ，電池等の日用品；ネジ等の機械部品；ダイオード等の電子部品等である。開口５ｃの大きさは、各収納室Ｒ１〜Ｒ３の大きさと同じになっている。このため、各収納室Ｒ１〜Ｒ３からの内容物Ｆ１〜Ｆ３の取り出しが容易である。また、内容物Ｆ１〜Ｆ３の大きさ，形状等に合わせて開口５ｃの大きさ，形状等を適正に設定することにより、開封部４をカバー部３から分離したときの弾みで内容物Ｆ１〜Ｆ３が飛び出すのを抑えることができる。
【００４０】
樹脂シートＳ１は、容器本体１と容器蓋２とからなっている。容器本体１には、内容物Ｆ１〜Ｆ３が収納される空間として、隔壁１ｂで３つに仕切られた収納室Ｒ１〜Ｒ３が扇形状に形成されている。各収納室Ｒ１〜Ｒ３の開口の中心角は１２０°であり、仕切られた収納室Ｒ１〜Ｒ３により、３種類の内容物Ｆ１〜Ｆ３を混ぜることなく収納したり取り出したりすることが可能になる。容器蓋２は、ミシン目４ａでの樹脂シートＳ１の折り曲げにより、収納室Ｒ１〜Ｒ３を覆うように形成されている。各収納室Ｒ１〜Ｒ３は、収納容器Ｅ４の封止状態（図１０）において容器蓋２側に凹形状を有している。
【００４１】
容器蓋２は、樹脂シートＳ１の折り曲げ状態（図１０）において、収納室Ｒ２，Ｒ３を覆うカバー部３と、収納室Ｒ１を覆うとともにカバー部３との境界で分離可能に形成された開封部４と、からなっている。そのカバー部３と開封部４との境界は、分離のためのミシン目４ｂからなっている。また、容器本体１と容器蓋２との境界は容器本体１と開封部４との境界であって、その境界は樹脂シートＳ１の折り曲げのための前記ミシン目４ａからなっている。
【００４２】
容器本体１は、収納室Ｒ１〜Ｒ３の周囲に環状に形成された凹形状（図１０の封止状態において容器蓋２側に凹形状）のレール１ａを有しており、カバー部３は、レール１ａに嵌合する４つのボス３ａを有している。図１０に示すように、ミシン目４ａで樹脂シートＳ１を折り曲げると、レール１ａにボス３ａが嵌合して収納容器Ｅ４は封止状態となる。このとき、台紙Ｄ１はボス３ａと穴５ａとの嵌合状態でカバー部３の内側に取り付けられているので、容器本体１と容器蓋２との間に台紙Ｄ１が挟まれた状態で収納容器Ｅ４は封止状態となる。
【００４３】
カバー部３には、その撓みを低減するために、周縁に５本の線状の補強用リブ３ｂが形成されており、その内側に平面状の補強用リブ３ｃが形成されている。開封部４にも、その撓みを低減するために、容器本体１側に平面状の補強用リブ４ｆが形成されており、カバー部３側に線状の補強用リブ４ｇが形成されている。樹脂シートＳ１の折り曲げ状態（図１０）において、リブ３ｂは容器本体１側に凸形状を有しており、リブ３ｃは容器本体１側に凹形状を有しており、リブ４ｆ，４ｇは容器本体１側に凹形状を有している。これら補強用のリブ３ｂ，３ｃ，４ｆ，４ｇを容器蓋２に設けることにより、樹脂シートＳ１の厚みを低減することが可能になる。
【００４４】
さらに開封部４には、その端部としてカバー部３側に開封タブ４ｃが形成されている。その開封タブ４ｃには、樹脂シートＳ１の折り曲げ状態（図１０）において、容器本体１側（内側）に突出した押圧用の凸部４ｄと、その反対側（外側）に突出した滑り止め用の凸部４ｅと、が形成されている。凸部４ｄ，４ｅにより、カバー部３からの開封部４の分離を容易に行うことが可能になる。なお、カバー部３と開封部４との境界はミシン目４ｂからなっているが、カバー部３からの開封部４の分離を更に容易にするため、開封タブ４ｃの周りの境界部分のみを予め切り離しておいてもよい。
【００４５】
開封タブ４ｃをつまんで引っ張り、ミシン目４ｂに沿って開封部４をカバー部３から引き離すと、開封部４は容器本体１に対しミシン目４ａでフラップ状に連結した状態になる。図１１に、ミシン目４ｂで開封部４をカバー部３から分離した状態（収納容器Ｅ４の開封状態）を示す。この分離は初期開封時にのみ行われ、開封部４がカバー部３から分離されると、収納室Ｒ１が開口し、レール１ａとボス３ａとの嵌合状態を保ちながら収納室Ｒ１〜Ｒ３の開閉状態を変化させる回転スライドが可能になる。
【００４６】
図１２に、カバー部３が１２０°回転スライドした状態（収納容器Ｅ４の１２０°スライド状態）を示す。図１２に示すカバー部３の回転スライドにより、収納室Ｒ２が開口し、収納室Ｒ２から内容物Ｆ１〜Ｆ３を取り出すことが可能になる。カバー部３の回転スライドは、矢印ｍＲで示すように、左右いずれの回転方向にも可能である。したがって、カバー部３の回転スライドにより、取り出したい内容物Ｆ１〜Ｆ３が入っている収納室Ｒ１〜Ｒ３のみを開口することが可能であり、どの収納室Ｒ１〜Ｒ３に関しても内容物Ｆ１〜Ｆ３の収納や取り出しが可能である。なお、回転スライドを更にスムーズにするため、カバー部３や容器本体１に滑り止め用の凹凸部，取っ手等を設けたり、台紙Ｄ１の取っ手５ｄに滑り止め用の凹凸部等を設けたりしてもよい。
【００４７】
各収納室Ｒ１〜Ｒ３の開口の中心角は１２０°であるが、図９に示すように、レール１ａの内周には中心角３０°間隔で凹凸が形成されている。その凹凸と同一形状の凹凸がボス３ａの外周にも形成されているため、図１１，図１２に示すように、レール１ａとボス３ａとの嵌合によって、３０°の回転毎にクリック感を得ることができる。したがって、収納室Ｒ１〜Ｒ３を見なくても、開封タブ４ｃを切り離してからのクリック数から、開口している収納室Ｒ１〜Ｒ３を知ることができる。
【００４８】
収納容器Ｅ４では、容器本体１に３つの収納室Ｒ１〜Ｒ３が扇形状に形成されているが、その数，形状等は内容物Ｆ１〜Ｆ３の種類，数，形状，取り出し易さ等に応じて設定すればよい。例えば、数は１つでもよく複数でもよいし、形状は丸形状でもよく三角形状でもよい。また、収納容器Ｅ４では、収納室Ｒ１〜Ｒ３間に隔壁１ｂが形成されているが、カバー部３から分離される前の開封部４の下方には、図１０に示すように隔壁１ｂが位置していない。このため、図１１に示すように開封部４をカバー部３から分離すると同時に、収納室Ｒ１内のどこにある内容物Ｆ１〜Ｆ３も取り出し可能となる。また、収納室Ｒ１の開口よりも小さく開封部４を形成した場合（例えば、各収納室Ｒ１〜Ｒ３の開口の中心角が１２０°で、開封部４の中心角が６０°の場合）、開封部４をカバー部３から分離したときの弾みで内容物Ｆ１〜Ｆ３が飛び出すのを抑えることができる。
【００４９】
図１３に、収納容器Ｅ４のリクローズ状態を示す。カバー部３を開封状態（図１１）の位置まで回転スライドさせた後、開封部４を元の位置に戻し、切り込み５ｂに開封タブ４ｃを差し込むと、開封部４が台紙Ｄ１に係止されて、図１３に示すリクローズ状態（台紙Ｄ１を介してカバー部３に開封部４がロックされた状態）となる。台紙Ｄ１を凸部４ｄで押圧すると切り込み５ｂが開口するため、切り込み５ｂに対する開封タブ４ｃの差し込みが容易になる。また、滑り止め用の凸部４ｅでスムーズな差し込みが可能になる。収納室Ｒ１〜Ｒ３内の内容物Ｆ１〜Ｆ３がお菓子等の軽量のものであれば、切り込み５ｂに開封タブ４ｃを差し込んだ程度の弱い係止でも、問題のないリクローズが可能である。なお、凸部４ｄを切り込み５ｂに係止させることにより、切り込み５ｂから開封タブ４ｃが外れにくくなるようにしてもよい。
【００５０】
この実施の形態によれば（図８〜図１３）、収納容器Ｅ４が樹脂シートＳ１と台紙Ｄ１からなり、樹脂シートＳ１が容器本体１と容器蓋２を有する簡単な構成になっているため、低コストでの製造が可能である。また、カバー部３が開封部４から分離されると、レール１ａとボス３ａとの嵌合状態を保ちながら収納室Ｒ１〜Ｒ３の開閉状態を変化させる回転スライドが可能になるため、内容物Ｆ１〜Ｆ３の選択的な取り出しを容易に行うことができる。したがって、低コストかつ簡単な構成でありながら、内容物Ｆ１〜Ｆ３の選択的な取り出しが容易な収納容器Ｅ４を実現することが可能である。しかも、カバー部３の内側に取り付けられてカバー部３と一体化した台紙Ｄ１が、切り込み５ｂ，開口５ｃ，取っ手５ｄ，穴５ｅ等を有しているため、前述した多様な効果を得ることができる。
【００５１】
図１４に、本発明の一実施の形態に係る収納容器Ｅ５を展開状態で示す。この収納容器Ｅ５は、複数の内容物Ｆ１〜Ｆ３を収納する樹脂シートＳ４と台紙Ｄ１からなる収納容器である。この樹脂シートＳ４では、樹脂シートＳ４のミシン目４ａでの折り曲げ状態において、台紙Ｄ１に形成されている切り込み５ｂの下方にある隔壁１ｂに凹部１ｃが形成されている点に特徴があり、それ以外は前記樹脂シートＳ１と同様に構成されている。この凹部１ｃにより、切り込み５ｂに開封タブ４ｃを押し込むためのスペースが確保されるため、切り込み５ｂに対する開封タブ４ｃの差し込みが更に容易になる。
【００５２】
図１５に、本発明の一実施の形態に係る収納容器Ｅ６をリクローズ状態で示す。この収納容器Ｅ６は、複数の内容物Ｆ１〜Ｆ３を収納する樹脂シートＳ１と台紙Ｄ２とからなる収納容器である。この台紙Ｄ２には、内容物Ｆ１〜Ｆ３確認用の貫通孔５ｆが形成されており、カバー部３で覆われた収納室Ｒ１〜Ｒ３の上方に貫通孔５ｆが位置する点に特徴があり、それ以外は前記台紙Ｄ１と同様に構成されている。
【００５３】
台紙Ｄ１（図８）のウサギの目が印刷されたものであるのに対し、台紙Ｄ２（図１５）のウサギの目は貫通孔５ｆで構成されている。このため、収納室Ｒ１〜Ｒ３のいずれについても、その内部をウサギの目（貫通孔５ｆ）を通して見ることができる。例えば、図１５のリクローズ状態（封止状態でも同様）では、収納室Ｒ１の内部（内容物Ｆ１）を開口５ｃを通して見ると同時に、カバー部３で覆われた収納室Ｒ２，Ｒ３の内部（内容物Ｆ２，Ｆ３）を貫通孔５ｆを通して見ることができる。カバー部３の回転スライドにより収納室Ｒ１〜Ｒ３の開閉状態を変化させた場合でも、開口５ｃと貫通孔５ｆとの位置関係は保たれるため、各収納室Ｒ１〜Ｒ３にどのような内容物Ｆ１〜Ｆ３が入っているかを確認することができる。また、カバー部３を回転スライドさせると、ウサギの目の色が内容物Ｆ１〜Ｆ３によって変化するため、ウサギの表情に変化をもたせることができる、という効果も得られる。
【００５４】
図１６に、本発明の一実施の形態に係る収納容器Ｅ７を開封状態で示す。この収納容器Ｅ７は、複数の内容物Ｆ１〜Ｆ３を収納する樹脂シートＳ１と台紙Ｄ３とからなる収納容器である。この台紙Ｄ３には、内容物Ｆ１〜Ｆ３取り出し用の開口５ｇが相対的に小さく形成されており、カバー部３で覆われていない収納室Ｒ１〜Ｒ３の上方に開口５ｇが位置する点に特徴があり、それ以外は前記台紙Ｄ１と同様に構成されている。
【００５５】
台紙Ｄ１（図８）のウサギの口が、各収納室Ｒ１〜Ｒ３の開口と同じ大きさの開口５ｃからなっているのに対し、台紙Ｄ３（図１６）のウサギの口は、各収納室Ｒ１〜Ｒ３の開口よりも小さい開口５ｇからなっている。この収納容器Ｅ７では、各収納室Ｒ１〜Ｒ３の開口の中心角が１２０°であるのに対し、台紙Ｄ３の開口５ｇの中心角は７０°になっている。このように台紙Ｄ３の開口５ｇを制限することにより、開封部４をカバー部３から分離したときの弾みで内容物Ｆ１〜Ｆ３が飛び出すのを抑えることができる。
【符号の説明】
【００５６】
Ｅ１〜Ｅ７    収納容器
Ｓ１〜Ｓ４    樹脂シート
Ｄ１〜Ｄ３    台紙
Ｒ１〜Ｒ３    収納室
Ｆ１〜Ｆ３    内容物
１    容器本体
２    容器蓋
３    カバー部
４    開封部
１ａ    レール（溝部）
１ｂ    隔壁
１ｃ    凹部
３ａ    ボス（突起部）
３ｂ，３ｃ，３ｄ，３ｅ    リブ
４ａ，４ｂ    ミシン目
４ｃ    開封タブ（開封部の端部）
４ｄ，４ｅ    凸部
４ｆ，４ｇ    リブ
５ａ    穴
５ｂ    切り込み
５ｃ    内容物取り出し用の開口
５ｄ    取っ手
５ｅ    吊り下げ穴
５ｆ    内容物確認用の貫通孔
５ｇ    内容物取り出し用の開口
【図１】
2019069805.tif 000003
【図２】
2019069805.tif 000004
【図３】
2019069805.tif 000005
【図４】
2019069805.tif 000006
【図５】
2019069805.tif 000007
【図６】
2019069805.tif 000008
【図７】
2019069805.tif 000009
【図８】
2019069805.tif 000010
【図９】
2019069805.tif 000011
【図１０】
2019069805.tif 000012
【図１１】
2019069805.tif 000013
【図１２】
2019069805.tif 000014
【図１３】
2019069805.tif 000015
【図１４】
2019069805.tif 000016
【図１５】
2019069805.tif 000017
【図１６】
2019069805.tif 000018